(57)【特許請求の範囲】
【請求項１】
冷延鋼板であって、素材鋼片を、熱間圧延後、黒皮スケールを付着させたまま、該黒皮スケールの還元が起きないH2含有量が５vol％未満、O2含有量が１vol％以下のN2雰囲気中にて 650〜950 ℃の温度範囲で熱処理を施して、鋼板の地鉄表層部に内部酸化層を形成させたのち、常法に従う酸洗、冷間圧延および再結晶焼鈍を施して得たことを特徴とする冷延鋼板。
【請求項２】
素材鋼片を、熱間圧延し、ついで酸洗後、冷間圧延および再結晶焼鈍を施して冷延鋼板を製造するに当たり、
熱間圧延後、黒皮スケールを付着させたまま、該黒皮スケールの還元が起きないH2含有量が５vol％未満、O2含有量が１vol％以下のN2雰囲気中にて 650〜950 ℃の温度範囲で熱処理を施すことにより、鋼板の地鉄表層部に内部酸化層を形成させることを特徴とする冷延鋼板の製造方法。
【請求項３】
溶融めっき鋼板であって、素材鋼片を、熱間圧延後、黒皮スケールを付着させたまま、該黒皮スケールの還元が起きないH2含有量が５vol％未満、O2含有量が１vol％以下のN2雰囲気中にて 650〜950 ℃の温度範囲で熱処理を施して、鋼板の地鉄表層部に内部酸化層を形成させたのち、常法に従う酸洗、冷間圧延、再結晶焼鈍および溶融めっき処理を施して得たことを特徴とする溶融めっき鋼板。
【請求項４】
素材鋼片を、熱間圧延し、ついで酸洗後、冷間圧延、再結晶焼鈍および溶融めっき処理を施して溶融めっき鋼板を製造するに当たり、
熱間圧延後、黒皮スケールを付着させたまま、該黒皮スケールの還元が起きないH2含有量が５vol％未満、O2含有量が１vol％以下のN2雰囲気中にて 650〜950 ℃の温度範囲で熱処理を施すことにより、鋼板の地鉄表層部に内部酸化層を形成させることを特徴とする溶融めっき鋼板の製造方法。
【請求項５】
鋼成分として、Mn：0.2 〜3.0 mass％またさらにはSi：0.1 〜2.0 mass％を含有する組成になり、めっき層直下の地鉄表層部に、Mnの濃化層またさらにはSiの濃化層を有することを特徴とする、請求項３に記載の溶融めっき鋼板。
【請求項６】
鋼成分として、Mn：0.2 〜3.0 mass％またさらにはSi：0.1 〜2.0 mass％を含有する組成になり、鋼板の表面から地鉄内部に向かう厚み方向のMn濃度またさらにはSi濃度が、めっき層をすぎて急激に上昇したのち、一旦低下し、その後幾分上昇して定常状態となるプロフィールを有することを特徴とする請求項３または５に記載の溶融めっき鋼板。
【請求項７】
鋼成分として、Mn：0.2 〜3.0 mass％またさらにはSi：0.1 〜2.0 mass％を含有する組成になり、かつめっき層直下の地鉄表層部のMn／Fe比またさらにはSi／Fe比が、地鉄内部のMn／Fe比またさらにはSi／Fe比の1.01倍以上であることを特徴とする請求項３, ５または６のいずれかに記載の溶融めっき鋼板。
【発明の詳細な説明】
【０００１】
【発明の属する技術分野】
本発明は、自動車用部材等に用いられる冷延鋼板および溶融めっき鋼板ならびにそれらの製造方法に関し、特にその化成処理性や溶融めっき性の有利な向上を図ろうとするものである。
【０００２】
【従来の技術】
最近、自動車用部材については、車体重量の軽減および信頼性・安全性の向上の観点から、その高強度化が指向されている。
この傾向は、自動車用鋼板として多用される溶融亜鉛めっき鋼板等の溶融めっき鋼板についても例外ではなく、高強度化のために種々の方法が提案されている。
【０００３】
例えば、特開昭59−193221号公報には、SiやMn等の固溶強化元素を比較的多量に含有させることによって鋼板の高強度化を図る方法が提案されている。
しかしながら、この方法では、SiやMnを多量に含有することに由来する別の問題、すなわちSiやMnの表面濃化に起因した溶融めっき性の劣化（めっきされない部分の発生すなわち不めっきの発生）や化成処理性の劣化（冷延鋼板に塗装下地処理として施されるりん酸亜鉛などの化成皮膜が形成されない）という問題が生じるため、自動車用鋼板としては実使用に耐え得なかった。
【０００４】
上記の問題の解決策として、高酸化分圧下で鋼板を強制的に酸化したのち、還元し、溶融めっきする方法（特開昭55−122865号公報）や、溶融めっきを施す前にプレめっきを行う方法（特開昭58−104163号公報）等が提案されたが、これらの方法では、熱処理時の表面酸化物の制御が十分でないため、鋼成分およびめっき条件によっては必ずしも安定した溶融めっき性や化成処理性が得られず、また余分なプロセスが付加されるために製造コストが上昇するという問題もあった。
【０００５】
また、特開平９−310163号公報には、上記した溶融めっき性の劣化を改善するものとして、熱間圧延後、高温巻取りを行うことによって、鋼板の地鉄表層部の結晶粒界や結晶粒内に酸化物を形成する、すなわち内部酸化層を形成させる方法が提案されている。
この内部酸化層を形成する方法は、不めっきの発生を防止する手段としては極めて有用である。
しかしながら、上記の方法では、鋼種や製造履歴によっては、十分な内部酸化層を確保できないため、必ずしも満足いくほど優れた溶融めっき性および化成処理性が得られるとは限らないところに問題を残していた。
【０００６】
特に、溶融めっき処理前の再結晶焼鈍を、ラジアントチューブ等の輻射式加熱方式で行った場合は、この傾向が大きかった。
なお、加熱方式が直火式の場合には、この焼鈍中に幾分かは内部酸化層が増強されるので、輻射式加熱の場合よりは改善されたが、それでも安定して所望の内部酸化層を形成することは困難であった。
【０００７】
【発明が解決しようとする課題】
本発明は、上記の問題を有利に解決するもので、鋼の成分組成や製造履歴を問わず、また溶融めっき処理前の再結晶焼鈍にラジアントチューブ等の輻射式加熱を用いた場合であっても、十分な内部酸化層を確保して、優れた溶融めっき性や化成処理性を安定して得ることができる冷延鋼板および溶融めっき鋼板を、それらの有利な製造方法と共に提案することを目的とする。
なお、本発明における化成処理性とは、冷延鋼板をそのまま自動車用部材として使用する場合における、りん酸亜鉛などの化成皮膜の形成能を意味する。
【０００８】
【課題を解決するための手段】
前述したとおり、多量のSiやMnを添加した場合にめっき性が劣化する原因は、焼鈍時におけるSiやMnの表面濃化（SiやMnが焼鈍中に選択酸化されて表面に多くなること）である。
従って、この問題の解決策としては、地鉄表層部のSiやMnを予め酸化して、最表面における金属Siや金属Mnの濃度を低下させること、すなわち地鉄表層部に十分な内部酸化層を形成することが有効と考えられる。
【０００９】
そこで、発明者らは、上記の目的を達成すべく鋭意検討を重ねた結果、十分な内部酸化層を安定して形成するためには、熱間圧延後、黒皮スケールを付着させたまま、実質的に還元を起こさない雰囲気中で熱処理を施すことが極めて有効であることの知見を得た。
本発明は、上記の知見に立脚するものである。
【００１０】
すなわち、本発明の要旨構成は次のとおりである。
１．冷延鋼板であって、素材鋼片を、熱間圧延後、黒皮スケールを付着させたまま、該黒皮スケールの還元が起きないH2含有量が５vol％未満、O2含有量が１vol％以下のN2雰囲気中にて 650〜950 ℃の温度範囲で熱処理を施して、鋼板の地鉄表層部に内部酸化層を形成させたのち、常法に従う酸洗、冷間圧延および再結晶焼鈍を施して得たことを特徴とする冷延鋼板。
【００１１】
２．素材鋼片を、熱間圧延し、ついで酸洗後、冷間圧延および再結晶焼鈍を施して冷延鋼板を製造するに当たり、
熱間圧延後、黒皮スケールを付着させたまま、該黒皮スケールの還元が起きないH2含有量が５vol％未満、O2含有量が１vol％以下のN2雰囲気中にて 650〜950 ℃の温度範囲で熱処理を施すことにより、鋼板の地鉄表層部に内部酸化層を形成させることを特徴とする冷延鋼板の製造方法。
【００１２】
３．溶融めっき鋼板であって、素材鋼片を、熱間圧延後、黒皮スケールを付着させたまま、該黒皮スケールの還元が起きないH2含有量が５vol％未満、O2含有量が１vol％以下のN2雰囲気中にて 650〜950 ℃の温度範囲で熱処理を施して、鋼板の地鉄表層部に内部酸化層を形成させたのち、常法に従う酸洗、冷間圧延、再結晶焼鈍および溶融めっき処理を施して得たことを特徴とする溶融めっき鋼板。
【００１３】
４．素材鋼片を、熱間圧延し、ついで酸洗後、冷間圧延、再結晶焼鈍および溶融めっき処理を施して溶融めっき鋼板を製造するに当たり、
熱間圧延後、黒皮スケールを付着させたまま、該黒皮スケールの還元が起きないH2含有量が５vol％未満、O2含有量が１vol％以下のN2雰囲気中にて 650〜950 ℃の温度範囲で熱処理を施すことにより、鋼板の地鉄表層部に内部酸化層を形成させることを特徴とする溶融めっき鋼板の製造方法。
【００１４】
５．鋼成分として、Mn：0.2 〜3.0 mass％またさらにはSi：0.1 〜2.0 mass％を含有する組成になり、めっき層直下の地鉄表層部に、Mnの濃化層またさらにはSiの濃化層を有することを特徴とする、上記３に記載の溶融めっき鋼板。
【００１５】
６．鋼成分として、Mn：0.2 〜3.0 mass％またさらにはSi：0.1 〜2.0 mass％を含有する組成になり、鋼板の表面から地鉄内部に向かう厚み方向のMn濃度またさらにはSi濃度が、めっき層をすぎて急激に上昇したのち、一旦低下し、その後幾分上昇して定常状態となるプロフィールを有することを特徴とする上記３または５に記載の溶融めっき鋼板。
【００１６】
７．鋼成分として、Mn：0.2 〜3.0 mass％またさらにはSi：0.1 〜2.0 mass％を含有する組成になり、かつめっき層直下の地鉄表層部のMn／Fe比またさらにはSi／Fe比が、地鉄内部のMn／Fe比またさらにはSi／Fe比の1.01倍以上であることを特徴とする上記項３, ５または６のいずれかに記載の溶融めっき鋼板。
【００１７】
【発明の実施の形態】
以下、本発明の基礎となった実験結果について説明する。
図１に、黒皮スケールを予め酸洗により除去したいわゆる白皮熱延板（同図(a) ）と黒皮スケールが付着したままのいわゆる黒皮熱延板（同図(b), (c)）について、熱延板熱処理後の断面を光学顕微鏡で観察した結果を比較して示す。
なお、素材としては、Si：0.5 mass％、Mn：1.5 mass％を含有するSi−Mn鋼を用い、また熱延板熱処理条件は 750℃, ５ｈとした。
【００１８】
同図に示したとおり、黒皮スケールがついたまま熱延板熱処理を行った場合（同図(b), (c)）にはいずれも、鋼板の地鉄表層部に内部酸化層の形成が認められた。
なお、熱処理雰囲気が、100vol％N2の場合（実質的に還元を起こさない雰囲気：同図(b) ）には、黒皮スケール表面および地鉄との界面に還元鉄の形成はほとんど認められなかったのに対し、5vol％H2−N2の場合（若干還元を起こす雰囲気：同図(c) ）の場合には、黒皮スケールの一部表面と地鉄との界面に還元鉄の形成が観察された。
一方、白皮熱延板の場合には、内部酸化層の形成は全く観察されなかった。
なお、黒皮熱延板を100vol％H2雰囲気（強い還元性雰囲気）で熱処理した場合についても調査したが、この場合には黒皮スケール自体の還元が進むだけで、内部酸化層の形成はほとんど生じなかった。
【００１９】
このように、熱延板における内部酸化層の形成には、熱延板熱処理時における雰囲気の影響が大きいことが明らかとなった。
図２に、内部酸化層の形成に及ぼす黒皮熱延板熱処理雰囲気の影響を模式的に示す。
図２(a) に示すように、非還元性（実質的に還元を起こさない）雰囲気（例えば100vol％N2雰囲気）で熱処理を行った場合には、黒皮スケール中の酸素が主に結晶粒界に沿って浸透し、 FeSiO3やMnx Fey Ｏz が形成される。すなわち、スケール中の酸素は、内部酸化層の形成のみに使用されると考えられる。
【００２０】
これに対し、図２(b) に示すように、還元性（実質的に還元を起こす) 雰囲気（例えば100vol％H2や5vol％H2−N2雰囲気）の場合には、黒皮スケール中の酸素は、内部酸化層の形成だけでなく、黒皮スケールの還元（ FeO＋H2→Fe＋H2O ）にも使用されるので、内部酸化層の形成が不十分となり、また黒皮スケール層が還元されて還元鉄が形成される不利も生じる。
【００２１】
次に、上記のようにして得た熱延板を、酸洗−冷間圧延後、レスカ製縦型溶融めっきシュミレーション装置を用いて、再結晶焼鈍→溶融亜鉛めっき→ソルトバスによる加熱合金化処理を行って、合金化溶融亜鉛めっき鋼板を製造した。
図３に、熱延板熱処理後におけるSi, Mnの表面濃化状況を、また図４には、溶融めっき時における不めっきの発生状況について調べて結果を示す。
Si, Mnの表面濃化量は、ＧＤＳ（グリムグロー発光分光分析）により極表面の分析を行い、Si, Mnの10秒間積算強度として比較した。また、不めっきの評価は、画像処理により不めっき部の面積を求め比較した。
図３，４から明らかなように、Si, Mnの表面濃化は、黒皮スケールがついたままで、かつ熱延板熱処理雰囲気が実質的に非還元性である場合に最も少なく、またこの場合には不めっきの発生も全くないことが確認された。
【００２２】
そこで、本発明では、十分な内部酸化層を安定して形成するために、熱延板熱処理を、黒皮スケールがついたまま、実質的に非還元性雰囲気中で行うことにしたのである。
【００２３】
ところで、ＧＤＳ（グリムグロー発光分光分析）によるめっき表層から地鉄内部までの深さ方向元素分布の測定によって、SiやMnの濃化状態を検出することができる。
そこで、このＧＤＳを用いて、溶融亜鉛めっき鋼板および合金化溶融亜鉛めっき鋼板について、めっき処理後のSiやMnの濃化状態について調査した。
図５(a), (b)に、0.5mass%Si−1.5mass%Mnを含有するSi−Mn鋼を使用した溶融亜鉛めっき鋼板の従来材と本発明材の測定結果を比較して、また図６(a), (b)には、合金化処理後の各鋼材の測定結果を比較して、それぞれ示す。
従来材は熱延板熱処理なしとし、一方、本発明材は黒皮付熱延板を窒素中にて 750℃, 10時間熱処理し、ついで通常の酸洗、冷間圧延後、連続溶融めっき設備にて溶融亜鉛めっき処理および合金化処理を施したものである。
【００２４】
図５，６に示したとおり、従来材では、地鉄表層部にMnやSiの濃化が認められないのに対し、発明材では地鉄表層部にMnやSiの濃化が認められる。
これは、周りのMnやSiが酸化物として濃縮しているためであり、従ってこの近傍における金属Mnおよび金属Siの濃度は低下している。そして、かかる濃化は、めっき層と地鉄の界面ではなく、めっき層直下の地鉄表層部で生じている。
なお、地鉄とめっき層との界面は、めっき層中のZn強度の 1/2位置、地鉄のFe強度とめっき層中のFe強度の半分の位置で判定することができる。
特に、合金化溶融亜鉛めっき鋼板は、加熱拡散処理によって製造されるため、溶融亜鉛めっき鋼板よりは、より地鉄側に濃化層が拡散している。
また、かかるMn濃化層の地鉄内部側にMn濃度が低下している領域が認められ、それよりも深い領域では地鉄の組成を反映して定常状態となる。
【００２５】
SiやＢ, Ｐ等のFeよりも易酸化性の元素が鋼中に添加されている場合には、その量にもよるが、これらの元素も地鉄表層部に濃化が認められるのが一般的である。特にSiやＢは強力な被酸化性元素であるために、地鉄表層部に濃化が認められ易い。
上記したように、地鉄表層部にMn等の酸化物の濃化が認められる場合には、地鉄最表面におけるMn等の金属元素は枯渇しており、その結果、めっき性が改善されるわけである。
特に地鉄表層部の内部酸化層を、ＧＤＳのMn／FeやSi／Feピーク強度比で評価した場合、これらの値が地鉄内部のMn／FeやSi／Feピーク強度比よりも1.01倍以上である場合に、とりわけ優れためっき性が得られた。
【００２６】
【作用】
本発明の素材鋼片としては、成分組成が特に限定されることはなく、いわゆる低炭素鋼板、極低炭素鋼板、Mn添加高張力鋼板およびSi−Mn添加高張力鋼板など従来公知のものいずれもが適合する。
特に好適には、強度向上のために比較的多量にMnを添加したMn系高張力鋼板およびSiやMnを添加した高Si−Mn系高張力鋼板である。
ここに、高強度化のためには、Mnは 0.2mass％以上含有させることが好ましい。しかしながら、3.0 mass％を超えて多量に含有させると実用的なハイテン材とはならないので、Mn量は 0.2〜3.0 mass％程度とすることが好ましい。
また、Siは、 0.1mass％未満では本発明法を必要とするようなめっき性の劣化があまり起こらず、一方 2.0mass％を超えると本発明法をもってしてもめっき性の劣化が免れ得ないので、Siは必要に応じて 0.2〜2.0 mass％の範囲で含有させることが好ましい。
なお、その他にも、必要に応じて、Ti, Nb, Ｂ, Mo, Sb, Ｐ, Ｓ, Ｃ, Ｎ, Cu, Ni, Cr, ＶおよびZr等を適宜含有させることもできる。
【００２７】
次に、本発明の製造工程について説明する。
まず、鋼片の製造方法としては、連続鋳造法が有利に適合するが、造塊−分塊法であってもかまわないのは言うまでもない。
熱間圧延についても、特に限定されることはなく、従来から公知の方法に従って処理すれば良い。
代表的な熱延条件は、圧下率：80〜99％、熱延終了温度：600 〜950 ℃、巻取り温度：300 〜750 ℃である。
【００２８】
さて、上記のようにして得た熱延鋼板は、通常、酸洗で黒皮スケールを除去したのち、冷間圧延工程に供せられるわけであるが、本発明では、上記の熱間圧延後、黒皮スケールが付着したままの熱延鋼板を、実質的に還元が起きない雰囲気中で熱処理して、鋼板の地鉄表層部に積極的に内部酸化層を形成させ、もって安定した溶融めっき性および化成処理性の向上を図るのである。
ここに、優れた溶融めっき性を安定して得るためには、内部酸化層の厚みを５〜40μm 程度にすると共に、表層における内部酸化層の面積率を１〜20％程度とすることが望ましい。
なお、この値は、ノーエッチングの断面観察（1000倍）時に黒く見える部分の面積率として容易に判断することができる。
【００２９】
上記の熱延板熱処理工程において、処理温度は 650〜950 ℃とする必要がある。というのは、熱延板熱処理温度が 950℃を超えると、結晶粒径が粗大化して、続く冷延時に表面が荒れたり、また冷延の歪みが不均一になってｒ値の低下を招くからであり、また熱延板熱処理温度が 650℃未満では、十分な内部酸化層を形成させることができないからである。
なお、熱処理時間については特に限定されることはないが、４〜40時間程度とするのが好ましい。
【００３０】
また、この発明において、実質的に還元を起こさない雰囲気としては、100vol％N2雰囲気およびH2含有量が5vol％未満のH2−N2混合雰囲気が有利に適合する。
この点、H2含有量が5vol％以上になると、黒皮スケール表面にも還元鉄が生成し、冷延前の酸洗工程での残存スケールの除去が阻害されるので好ましくない。
また、大気中などの酸化性雰囲気では、内部酸化と共に鉄の酸化が進行し、内部酸化層の厚みが不十分となるため好ましくない。しかしながら、100vol％N2雰囲気またはH2量が５vol％未満のH2−N2混合雰囲気におけるO2量が１vol％以下であれば、鉄の酸化は問題とならない少量であるので、この発明では、雰囲気中におけるO2量は１vol％以下に制限した。
【００３１】
ついで、酸洗後、冷延圧延を施す。
この冷延圧延条件についても、特に限定されることはなく、常法に従って行えば良いが、集合組織｛１１１｝を有利に発達させるためには、圧下率は50〜95％程度とすることが好ましい。
【００３２】
その後、再結晶焼鈍を施すが、この再結晶焼鈍条件についても、特に限定されることはなく、常法に従い、 600〜950 ℃で 0.5〜10 min程度で行えば良い。
また、本発明では、溶融めっき処理前の再結晶焼鈍にラジアントチューブ等の輻射式加熱を用いた場合であっても、所望の内部酸化層を確保できる利点がある。この場合には、直火式の加熱方式を用いる場合に比べて、熱延板熱処理時における内部酸化層の形成量を幾分多めにしておけば良い。
さらに、本発明では、後述する溶融めっき処理後の鋼帯に対し、形状矯正、表面粗度等の調整のために、10％以下の調質圧延を加えることもできる。
【００３３】
上記のようにして得た冷延鋼板に溶融めっきを施す場合には、従来から公知の方法に従って実施すれば良い。
例えば、溶融亜鉛めっき処理の場合には、再結晶焼鈍した鋼板を、浴温が 460〜490 ℃程度の溶融亜鉛浴に浸漬して溶融めっきを行う。その際、浴に浸入させる時の板温は 460〜500 ℃程度が好適である。また、溶融亜鉛浴中のAl量は0.13〜0.5 mass％程度とするのが好ましい。
このようにして溶融亜鉛浴に浸漬された鋼板は、浴から引き上げられたのち、ガスワイピング処理などによってめっき付着量を調整され、溶融亜鉛めっき鋼板となる。
さらに、このような溶融亜鉛めっき鋼板は、その後に合金化処理を施すことによって合金化溶融亜鉛めっき鋼板とすることもできる。
【００３４】
なお、その他の溶融めっき処理としては、溶融アルミニウムめっき、溶融亜鉛−アルミニウムめっき等があり、これらについても従来公知の方法に従って溶融めっき処理を施せば良い。
また、溶融めっきの付着量については、片面当たり20〜100 g/m2程度とするのが好ましい。
【００３５】
【実施例】
表１に示す成分組成に調整した鋼スラブを、1200〜1250℃に加熱後、熱間圧延により 3.5mm厚の熱延板としたのち、表２，３に示す条件で熱延板熱処理を施し、ついで酸洗後、冷間圧延を施して 0.8mm厚の冷延板とした。
かくして得られた冷延板に、830 ℃，１ minの再結晶焼鈍を施したのち、
・浴温：470 ℃
・浸入板温：470 ℃
・Al含有率：0.14mass％
・めっき付着量：60g/m2（片面）
・めっき時間：１sec
の条件で溶融亜鉛めっき処理を施して溶融亜鉛めっき鋼板を製造した。また、一部についてはその後合金化処理を施して、合金化溶融亜鉛めっき鋼板とした。
さらに、一部については、上記の再結晶焼鈍後、溶融アルミニウムめっき処理および溶融亜鉛−アルミニウムめっき処理を施した。
またさらに、冷延板の一部については化成処理を施し、化成処理性を評価した。
なお、比較のため、従来法に従って、冷延鋼板、溶融めっき鋼板および合金化溶融めっき鋼板を製造した。
かくして得られた冷延鋼板の化成処理性、各種溶融めっき鋼板の溶融めっき性およびめっき密着性、合金化溶融亜鉛めっき鋼板の合金化速度および合金化ムラ、地鉄表層近傍におけるMnやSiの濃化状態および地鉄内部のMn／Fe，Si／Feに対する地鉄表層近傍のMn／Fe，Si／Feの比について調べた結果を、表４，５に示す。
【００３６】
各特性の評価方法は次のとおりである。
＜化成処理性＞
冷延鋼板に、表６に示す脱脂→水洗→表面調整→化成からなる化成処理を施して、りん酸亜鉛皮膜を形成させ、以下の基準に従い評価した。
○：全面均一にりん酸亜鉛皮膜が形成された
×：一部りん酸亜鉛皮膜が形成されない部分が発生
【００３７】
＜溶融めっき性＞
溶融めっき後の外観を画像処理して、不めっき面積率を求め、以下の基準に従い評価した。
５：不めっき面積率 0％
４：不めっき面積率 0.1％以下
３：不めっき面積率 0.1％超〜0.3 ％以下
２：不めっき面積率 0 3％超〜0.5 ％以下
１：不めっき面積率 0.5％超
【００３８】
＜めっき密着性＞
デュポン衝撃試験（直径：6.35mm、重量：１kgの重りを 500mmの高さから鋼板上に落下）により、めっき密着性を評価した。判定基準は次のとおりである。
○：めっき剥離なし
×：めっき剥離有り
【００３９】
＜合金化速度＞
・合金化条件
昇温速度：20℃/s
降温速度：15℃/s
合金化温度：490 ℃
合金化時間：20秒
上記条件下で処理した合金化材の表面に亜鉛η相が残存しているか否かで合金化速度を評価した。
○：亜鉛η相なし
×：亜鉛η相あり
【００４０】
＜合金化ムラ＞
ソルトバスを用いて、 100×200 mmの溶融めっき板を 490℃, 30秒で合金化を行い合金化ムラがあるかについて合金化後のめっき外観を観察して評価した。
○：焼けムラなし（均一）
×：焼けムラあり
【００４１】
＜地鉄表層近傍におけるMn，Siの濃化プロフール＞
ＧＤＳにより、めっき層表面から地鉄内部までの深さ方向元素分布を測定して、SiやMnの濃化状態を検出した。
【００４２】
【表１】
0003835083.tif 000002
【００４３】
【表２】
0003835083.tif 000003
【００４４】
【表３】
0003835083.tif 000004
【００４５】
【表４】
0003835083.tif 000005
【００４６】
【表５】
0003835083.tif 000006
【００４７】
【表６】
0003835083.tif 000007
【００４８】
表４，５から明らかなように、この発明に従い得られた鋼板はいずれも、十分な量の内部酸化層を有し、その結果、従来法により得られた鋼板に比べて、優れた化成処理性、溶融めっき性および合金化溶融めっき性を呈している。
【００４９】
【発明の効果】
かくして、本発明に従い、熱間圧延後、黒皮スケールを付着させたまま、実質的に還元が起きない雰囲気中で熱延板熱処理を施すことにより、鋼板の地鉄表層部に十分な量の内部酸化層を安定して形成させることができ、ひいては化成処理性および溶融めっき性を格段に向上させることができる。
【図面の簡単な説明】
【図１】  白皮熱延板（同図(a) ）および黒皮熱延板（同図(b), (c)）の熱延板熱処理後の断面を示す光学顕微鏡組織写真である。
【図２】  内部酸化層の形成に及ぼす黒皮熱延板熱処理雰囲気の影響を示した図である。
【図３】  熱延板熱処理後におけるSi, Mnの表面濃化状況を示した図である。
【図４】  溶融めっき時の不めっきの発生状況を示した図である。
【図５】  従来の溶融亜鉛めっき鋼板（同図(a) ）および本発明に従う溶融亜鉛めっき鋼板（同図(b) ）について、ＧＤＳにより測定した深さ方向元素分布を、比較して示したグラフである。
【図６】  従来の合金化溶融亜鉛めっき鋼板（同図(a) ）および本発明に従う合金化溶融亜鉛めっき鋼板（同図(b) ）について、ＧＤＳにより測定した深さ方向元素分布を、比較して示したグラフである。
【図１】
0003835083.tif 000008
【図２】
0003835083.tif 000009
【図３】
0003835083.tif 000010
【図４】
0003835083.tif 000011
【図５】
0003835083.tif 000012
【図６】
0003835083.tif 000013